【手続補正書】
【提出日】平成17年10月4日(2005.10.4)
【手続補正１】
【補正対象書類名】明細書
【補正対象項目名】特許請求の範囲
【補正方法】変更
【補正の内容】
【特許請求の範囲】
【請求項１】  少なくとも一つの配信先装置と、
前記配信先装置が参照する情報を保持する少なくとも一つの配信元装置と、
管理装置と、
を含むネットワークシステムであって、
前記配信先装置が、
配信元装置の状況に関する状況情報を出力する手段と、
前記出力した状況情報に基いて、前記管理装置によって生成された、情報の参照先となる配信元装置のリストの設定を受け入れる手段と、
前記設定されたリストを用いて情報の参照先である配信元装置を決定する手段と、
を有することを特徴とするネットワークシステム。
【請求項２】  情報を保持する少なくとも一つの配信元装置及び、管理装置とともにネットワークシステムを構成する配信先装置であって、
配信元装置の状況に関する状況情報を検出して出力する手段と、
前記出力した状況情報に基いて、前記管理装置によって生成された、情報の参照先となる配信元装置のリストの設定を受け入れる手段と、
前記設定されたリストを用いて情報の参照先である配信元装置を決定する決定手段と、
を有することを特徴とする配信先装置。
【請求項３】  請求項２に記載の配信先装置であって、
前記配信元装置から参照される情報は漸次更新される情報であり、
前記決定手段は、リストに含まれる配信元装置のうちから、前記検出した配信元装置の状況と、配信元装置が保持する情報の更新状態とに基づいて、情報の参照先である配信元装置を決定することを特徴とする配信先装置。
【請求項４】  請求項２に記載の配信先装置であって、
前記状況情報を検出する手段は、
配信元装置との間の所定時間ごとのアクセスによって配信元装置の稼働状況を検出するとともに、配信元装置との間の通信のスループットによって、配信元装置の負荷状況を検出しており、
前記所定時間は、前記負荷状況に基づいて変更されることを特徴とする配信先装置。
【請求項５】  情報を保持する少なくとも一つの配信元装置及び、管理装置とともにネットワークシステムを構成する配信先装置の制御方法であって、
配信元装置の状況に関する状況情報を検出して出力する工程と、
前記出力した状況情報に基いて、前記管理装置によって生成された、情報の参照先となる配信元装置のリストの設定を受け入れる工程と、
前記設定されたリストを用いて情報の参照先である配信元装置を決定する決定工程と、
を有することを特徴とする配信先装置の制御方法。
【請求項６】  情報を保持する少なくとも一つの配信元装置及び、管理装置とともにネットワークシステムを構成する配信先装置によって実行されるプログラムであって、
配信元装置の状況に関する状況情報を検出して出力する手順と、
前記出力した状況情報に基いて、前記管理装置によって生成された、情報の参照先となる配信元装置のリストの設定を受け入れる手順と、
前記設定されたリストを用いて情報の参照先である配信元装置を決定する決定手順と、
を前記配信先装置に実行させることを特徴とするプログラム。
【請求項７】  入力情報の内容を解釈することによって、クライアント情報、管理対象の情報を取得又は更新するためのコンテンツ情報及びコンテンツ情報の管理情報を生成又は入力情報の内容から特定した情報格納場所から取得する情報収集処理手段と、
クライアント端末からの管理情報への定期的なアクセスによってクライアント端末の稼動状態を監視する接続監視手段と、
クライアント端末からの情報取得要求に応じてコンテンツ情報を送信する情報送信手段と、
を有することを特徴とする情報管理サーバ。
【請求項８】  入力情報の内容を解釈することによって情報管理のための管理情報と、管理される情報を取得又は更新するためのコンテンツ情報とを生成又は入力情報の内容から特定した情報格納場所から取得し、クライアント端末からの管理情報への定期的なアクセスによってクライアント端末の稼動状態を監視すると共に、クライアント端末からの情報取得要求に応じてコンテンツ情報を送信することを特徴とする情報管理方法。
【請求項９】  １乃至複数のクライアントシステムと、前記クライアントシステムが参照する情報を保持する複数の情報提供サーバと、ネットワーク監視機能を有するネットワーク監視サーバと共にネットワークシステムを構成し、そのネットワークシステムのシステム管理を行う管理サーバであって、
前記各情報提供サーバがそれぞれ分散して保持する情報を把握するための情報提供サーバ管理情報が記録されたシステム内情報管理用データベースと、
前記システム内情報管理用データベース及び前記ネットワークシステムに含まれる各サーバの負荷状況に基づいて前記各クライアントシステムのアクセス先とする前記サーバを選定し、その選定した前記サーバのリストを生成するサーバリスト管理手段と、
を有し、前記各クライアントシステムが情報を収集する際に前記サーバリストを参照させることによって当該サーバに対して直接アクセス可能にしたことを特徴とする負荷分散システムにおける管理サーバ。
【請求項１０】  請求項９記載の負荷分散システムにおける管理サーバであって、
前記サーバリスト管理手段は、多重化されているもののうち一の前記ネットワーク監視サーバがダウンしたことを検知した他の前記ネットワーク監視サーバからシステムダウン通知情報が送られてくると、前記サーバリストを再生成し、ダウンした前記ネットワーク監視サーバをアクセス先とする前記クライアントシステムへ送信することを特徴とする負荷分散システムにおける管理サーバ。
【請求項１１】  １乃至複数のクライアントシステムと、前記クライアントシステムが参照する情報を保持する複数の情報提供サーバと、ネットワーク監視機能を有するネットワーク監視サーバと共にネットワークシステムを構成し、そのネットワークシステムのシステム管理を行う管理サーバとで構成される負荷分散システムにおける情報管理方法であって、
前記各情報提供サーバがそれぞれ分散して保持する情報を把握するための情報提供サーバ管理情報が記録されたシステム内情報管理用データベース及び前記ネットワークシステムに含まれる各サーバの負荷状況に基づいて前記各クライアントシステムのアクセス先とする前記サーバを選定し、その選定した前記サーバのリストを生成するステップを含み、
前記各クライアントシステムが情報を収集する際に前記サーバリストを参照させることによって当該サーバに対して直接アクセス可能にしたことを特徴とする負荷分散システムにおける情報管理方法。
【請求項１２】  ネットワークシステム内において提供する情報を保持する情報提供サーバと、ネットワーク監視機能を有するネットワーク監視サーバと、前記ネットワークシステムのシステム管理を行う管理サーバと共にネットワークシステムを構成し、接続されたクライアント端末又は自らが参照したい情報を前記情報提供サーバのいずれかから取得するクライアント端末用管理サーバであって、
予め生成された、アクセス先とする前記各サーバのリストを記憶するサーバリスト記憶手段と、
必要な情報を収集するために前記サーバリストに基づき該当する前記サーバへアクセスする情報収集処理手段と、
を有し、情報を収集する際に前記サーバリストを参照することによって当該サーバに対して直接アクセスすることを特徴とする負荷分散システムにおけるクライアント端末用管理サーバ。
【請求項１３】  請求項１２記載の負荷分散システムにおけるクライアント端末用管理サーバであって、
前記サーバリスト記憶手段には、複数組のサーバリストが記憶されており、
前記情報収集処理手段は、参照しているサーバリストに含まれるいずれかの前記サーバがダウンしたことを検知したときには、参照するサーバリストを他のサーバリストに切り替えることによってサーバアクセスを継続して行うことを特徴とする負荷分散システムにおけるクライアント端末用管理サーバ。
【請求項１４】  請求項１２記載の負荷分散システムにおけるクライアント端末用管理サーバであって、
前記サーバリストは、前記各情報提供サーバがそれぞれ分散して保持する情報を把握するための情報提供サーバ管理情報及び前記ネットワークシステムに含まれる各サーバの負荷状況に基づいて前記管理サーバにより生成されダウンロードされたものであることを特徴とする負荷分散システムにおけるクライアント端末用管理サーバ。
【請求項１５】  請求項１２記載の負荷分散システムにおけるクライアント端末用管理サーバであって、
前記情報収集処理手段は、前記情報提供サーバでもある前記ネットワーク監視サーバに対して定期的に行う更新情報の有無の問合せによって、当該クライアント端末用管理サーバが稼動していることを前記ネットワーク監視サーバに確認させることを特徴とする負荷分散システムにおけるクライアント端末用管理サーバ。
【請求項１６】  ネットワークシステム内において提供する情報を保持する情報提供サーバと、ネットワーク監視機能を有するネットワーク監視サーバと、前記ネットワークシステムのシステム管理を行う管理サーバと共にネットワークシステムを構成し、接続されたクライアント端末又は自らが参照したい情報を前記情報提供サーバのいずれかから取得するクライアント端末用管理サーバにおける情報管理方法であって、
必要な情報を収集するために、予め生成されたアクセス先とする前記各サーバのリストを参照することによって該当する前記サーバへ直接アクセスすることを特徴とするクライアント端末用管理サーバにおける情報管理方法。
【請求項１７】  １乃至複数のクライアントシステムと、前記クライアントシステムが参照する情報を保持する複数の情報提供サーバと、ネットワーク監視機能を有するネットワーク監視サーバと共にネットワークシステムを構成し、そのネットワークシステムのシステム管理を行う管理サーバにおいて、
前記各情報提供サーバがそれぞれ分散して保持する情報を把握するための情報提供サーバ管理情報と前記ネットワークシステムに含まれる各サーバの負荷状況に基づいて前記各クライアントシステムのアクセス先とする前記サーバを選定し、
その選定した前記サーバのリストを生成する、
ことを特徴とする管理サーバにおける情報管理方法。
【手続補正２】
【補正対象書類名】明細書
【補正対象項目名】００２６
【補正方法】変更
【補正の内容】
【００２６】
また、本発明に係る管理サーバにおける情報管理方法は、１乃至複数のクライアントシステムと、前記クライアントシステムが参照する情報を保持する複数の情報提供サーバと、ネットワーク監視機能を有するネットワーク監視サーバと共にネットワークシステムを構成し、そのネットワークシステムのシステム管理を行う管理サーバにおいて、前記各情報提供サーバがそれぞれ分散して保持する情報を把握するための情報提供サーバ管理情報と前記ネットワークシステムに含まれる各サーバの負荷状況に基づいて前記各クライアントシステムのアクセス先とする前記サーバを選定し、その選定した前記サーバのリストを生成することを特徴とする。
【手続補正３】
【補正対象書類名】明細書
【補正対象項目名】００２７
【補正方法】変更
【補正の内容】
【００２７】
また、他の態様として、ネットワークシステム内において提供する情報を保持する情報提供サーバと、ネットワーク監視機能を有するネットワーク監視サーバと、前記ネットワークシステムのシステム管理を行う管理サーバと共にネットワークシステムを構成し、接続されたクライアント端末又は自らが参照したい情報を前記情報提供サーバのいずれかから取得するクライアント端末用管理サーバにおいて、情報を収集する際にアクセス先とする前記各サーバのアドレスリストが設定されたサーバリストを参照することによって当該サーバに対して直接アクセスするようにしてもよい。